【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
複数の設定値のうちのいずれかの設定値に設定可能な設定手段と、
設定されている設定値にもとづいて前記有利状態に関する制御を実行可能な遊技制御手段と、
いずれの設定値に設定されたかを特定可能な設定値情報を出力可能な情報出力手段と、
前記情報出力手段から出力された設定値情報にもとづいて、少なくとも可変表示中に実行可能な所定示唆演出と前記有利状態において実行可能な特定示唆演出とを含む複数種類の示唆演出を実行可能な演出実行手段と、
所定事象を検出する検出手段と、
前記検出手段により所定事象が検出されたことにもとづいて所定事象の発生を報知する報知手段と、を備え、
前記所定示唆演出が実行される場合と前記特定示唆演出が実行される場合とで、設定値の示唆についての信頼度が異なることがあり、
前記演出実行手段は、第１所定示唆態様と第２所定示唆態様とにより前記所定示唆演出を実行可能であるとともに、第１特定示唆態様と第２特定示唆態様とにより前記特定示唆演出を実行可能であり、
前記第１所定示唆態様により前記所定示唆演出が実行される場合、前記第２所定示唆態様により前記所定示唆演出が実行される場合よりも、有利度が高い設定値を示唆する信頼度が高く、
前記第１特定示唆態様により前記特定示唆演出が実行される場合、前記第２特定示唆態様により前記特定示唆演出が実行される場合よりも、有利度が高い設定値を示唆する信頼度が高く、
前記演出実行手段は、前記情報出力手段から出力された設定値情報が正常でない場合、前記第１所定示唆態様による前記所定示唆演出と、前記第１特定示唆態様による前記特定示唆演出と、を実行せず、前記第２所定示唆態様による前記所定示唆演出と、前記第２特定示唆態様による前記特定示唆演出と、を実行可能であり、
前記報知手段は、設定値を変更可能な設定変更状態であるときに所定事象の発生を報知しない
ことを特徴とする遊技機。
【手続補正２】
【補正対象書類名】明細書
【補正対象項目名】０００２
【補正方法】変更
【補正の内容】
【０００２】
設定操作にもとづいて複数段階の設定値のうちのいずれかの設定値に設定可能に構成され、設定されている設定値にもとづいて有利状態の制御を実行可能に構成されたパチンコ遊技機として、例えば、特許文献１に記載されたものがある。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２００９−２７９２４７号公報
【手続補正４】
【補正対象書類名】明細書
【補正対象項目名】０００４
【補正方法】変更
【補正の内容】
【０００４】
他方で、例えば、特許文献２には、センサを用いて磁石が遊技機近傍に存在するか否かを検出する構成が記載されており、このような構成を特許文献１に記載されたパチンコ遊技機に適用することが考えられる。しかしながら、単純に適用すると、設定値の変更等の操作がセンサの検出値（例えば基準値）に影響を及ぼし、誤検出が生じるおそれがある。
【手続補正５】
【補正対象書類名】明細書
【補正対象項目名】０００５
【補正方法】変更
【補正の内容】
【０００５】
この発明は、上記の実状に鑑みてなされたものであり、好適に所定事象の発生を報知することができる遊技機を提供することを目的とする。
【手続補正６】
【補正対象書類名】明細書
【補正対象項目名】０００６
【補正方法】変更
【補正の内容】
【０００６】
本発明による遊技機は、
可変表示を行い、遊技者にとって有利な有利状態（例えば、大当り遊技状態）に制御可能な遊技機であって、
複数の設定値（例えば、設定値「１」〜設定値「３」）のうちのいずれかの設定値に設定可能な設定手段（例えば、遊技制御用マイクロコンピュータ１００におけるステップ１３６ＩＷＳ０２９を実行する部分）と、
設定されている設定値にもとづいて前記有利状態に関する制御を実行可能な遊技制御手段（例えば、遊技制御用マイクロコンピュータ１００におけるステップＳ１１４〜Ｓ１１７を実行する部分）と、
いずれの設定値に設定されたかを特定可能な設定値情報を出力可能な情報出力手段と、
前記情報出力手段から出力された設定値情報にもとづいて、少なくとも可変表示中に実行可能な所定示唆演出と前記有利状態において実行可能な特定示唆演出とを含む複数種類の示唆演出を実行可能な演出実行手段と、
所定事象を検出する検出手段（例えば、第１磁気検出器１３６ＩＷ１００や第２磁気検出器１３６ＩＷ１０１）と、
前記検出手段により所定事象が検出されたことにもとづいて所定事象の発生を報知する報知手段（例えば、遊技制御用マイクロコンピュータ１００が、ステップＳ２２のメイン側エラー処理において、第１磁気検出器１３６ＩＷ１００または第２磁気検出器１３６ＩＷ１０１からのエラー信号が磁界検出（磁石検出）に対応する状態（例えば、ハイレベル）になっている場合には、異常が検知されたことを報知するための異常報知処理を実行する）と、を備え、
前記所定示唆演出が実行される場合と前記特定示唆演出が実行される場合とで、設定値の示唆についての信頼度が異なることがあり、
前記演出実行手段は、第１所定示唆態様と第２所定示唆態様とにより前記所定示唆演出を実行可能であるとともに、第１特定示唆態様と第２特定示唆態様とにより前記特定示唆演出を実行可能であり、
前記第１所定示唆態様により前記所定示唆演出が実行される場合、前記第２所定示唆態様により前記所定示唆演出が実行される場合よりも、有利度が高い設定値を示唆する信頼度が高く、
前記第１特定示唆態様により前記特定示唆演出が実行される場合、前記第２特定示唆態様により前記特定示唆演出が実行される場合よりも、有利度が高い設定値を示唆する信頼度が高く、
前記演出実行手段は、前記情報出力手段から出力された設定値情報が正常でない場合、前記第１所定示唆態様による前記所定示唆演出と、前記第１特定示唆態様による前記特定示唆演出と、を実行せず、前記第２所定示唆態様による前記所定示唆演出と、前記第２特定示唆態様による前記特定示唆演出と、を実行可能であり、
前記報知手段は、設定値を変更可能な設定変更状態であるときに所定事象の発生を報知しない（例えば、遊技制御用マイクロコンピュータ１００は、遊技機用枠３が開放されている場合には、少なくとも遊技機用枠３が閉鎖されるまでは、磁気検出器ＣＴＲＬ信号を出力せず（図２１−７参照）、設定基板１３６ＩＷ３００は、磁気検出器ＣＴＲＬ信号が出力されるまで磁気検出器への電源供給を開始せず、基準値は、磁気検出器への電源供給が開始されるまで設定されない（図２１−２参照））
ことを特徴とする。
この特徴によれば、好適に所定事象の発生を報知することができる。
（１）また、遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。